(57)【要約】【課題】側板の展開が容易で、展開すると、内容物がこぼれない、持ちやすい等の皿としての機能を発揮する。【解決手段】平面視四角形の底板２の各辺に側板３，４，５，６をそれぞれ谷折り線２ａ，２ｂ，２ｃ，２ｄを介して連設し、側板３，４に側板５．６の内側に折り曲げられるフラップ９，１０，１２，１３を谷折り線３ａ，４ａ，５ａ，６ａを介して連設し、側板５とフラップ９の対向辺に設けた切り欠き１５，１６、側板５とフラップ１２の対向辺に設けた切り欠き１７，１８、側板６とフラップ１０の対向辺に設けた切り欠き１９，２０、側板６とフラップ１３の対向辺に設けた切り欠き２１，２２をそれぞれ係合させて、底板２の周囲に側板３，４，５，６及びフラップ９，１０，１２，１３による上方へ広がるテーパー状の縁を形成する。【選択図】    図１
2004168317.tif 000002
【特許請求の範囲】
【請求項１】
平面視多角形の底板の各辺に側板をそれぞれ谷折り線を介して連設し、隣接する側板のいずれか一方の側板に他方の側板内側に折り曲げられるフラップを谷折り線を介して連設した食品包装箱において、前記フラップと前記他方の側板との対向辺に互いに係合する係合部をそれぞれ設けたことを特徴とする食品包装箱。
【請求項２】
平面視多角形の底板の各辺に側板をそれぞれ谷折り線を介して連設し、隣接する側板のいずれか一方の側板に他方の側板内側に折り曲げられるフラップを谷折り線を介して連設した食品包装箱において、前記フラップの先端側を前記他方の側板に重ねて貼着し、該フラップに他方の側板に沿う谷折り線を設けるとともに、該谷折り線と前記連設側の谷折り線との間に山折り線を設けたことを特徴とする食品包装箱。
【請求項３】
前記側板の一つ又は二つに蓋板を連設したことを特徴とする請求項１又は２に記載の食品包装箱。
【請求項４】
前記底板、側板及びフラップの内側に絵を描いたことを特徴とする請求項１乃至３のいずれかに記載の食品包装箱。
【発明の詳細な説明】
【０００１】
【発明の属する技術分野】
本発明は、箱を展開すると皿としての機能を発揮する食品包装箱に関する。
【０００２】
【従来の技術】
食品包装箱としては、平面視四角形の底板の各辺に側板をそれぞれ谷折り線を介して連設し、隣接する側板のいずれか一方の側板に他方の側板内側に折り曲げられるフラップを谷折り線を介して連設した組立箱がよく使用されている。また、例えば、ケーキ等の包装箱として、四角形の底板の各辺にそれぞれ谷折り線を介して連設される複数の側板と、各側板間に谷折り線を介して連設される補助片と、前記側板の対向する一対の側板にそれぞれ谷折り線を介して連設される蓋板と、残りの対向する一対の側板にそれぞれ折り線を介して連設される吊り下げ片とを備えたものもある（例えば、特許文献１参照。）。
【０００３】
【特許文献１】
特開２０００−３１８７２５号公報（第２〜４頁、図１〜４）
【０００４】
【発明が解決しようとする課題】
しかしながら、上述の従来の箱は、輸送・貯蔵に適した機能を有するものの、箱を展開すると平板状になるので、収納された食品を別の皿に移す必要がある。例えば、学校給食のデザートとして配膳される１個箱入りケーキでは、生徒がケーキを持って別の皿に移して食べているので、非衛生的であった。また、アウトドアでの喫食の際には、箱を持って食べるので、食べにくく、収納された食品がこぼれたりすることがある。
【０００５】
そこで本発明は、側板の展開が容易で、展開すると、内容物がこぼれない、持ちやすい等の皿としての機能を発揮する食品包装箱を提供することを目的としている。
【０００６】
【課題を解決するための手段】
上記した目的を達成するため、本発明は、平面視多角形の底板の各辺に側板をそれぞれ谷折り線を介して連設し、隣接する側板のいずれか一方の側板に他方の側板内側に折り曲げられるフラップを谷折り線を介して連設した食品包装箱において、第１発明は、前記フラップと前記他方の側板との対向辺に互いに係合する係合部をそれぞれ設けたことを特徴とし、第２発明は、前記フラップの先端側を前記他方の側板に重ねて貼着し、該フラップに他方の側板に沿う谷折り線を設けるとともに、該谷折り線と前記連設側の谷折り線との間に山折り線を設けたことを特徴としている。これらの発明において、蓋は別体でも、前記側板の一つ又は二つに連設してもよい。また、前記底板、側板及びフラップの内側に絵を描くことにより、絵皿としての演出ができる。
【０００７】
【発明の実施の形態】
以下、本発明を、図面に示す各実施形態例に基づいて、さらに詳細に説明する。図１乃至図４は、直方体の食品包装箱に第１発明を適用した第１実施形態例を示すもので、図１は展開図、図２は箱に組み立てる途中の斜視図、図３は箱として組み立てられた状態の斜視図、図４は皿として組み立てられた状態の斜視図である。
【０００８】
耐油・耐水加工を施した紙製の食品包装箱１は、長方形の底板２の対向する長片の一方の辺（図１において下側）に谷折り線２ａを介して四角形の第１側板３を、他方の辺（図１において上側）に谷折り線２ｂを介して四角形の第２側板４をそれぞれ連設するとともに、対向する短辺の一方の辺（図１において右側）に谷折り線２ｃを介して四角形の第３側板５を、他方の辺（図１において左側）に谷折り線２ｄを介して四角形の第４側板６をそれぞれ連設し、さらに、第３側板５に谷折り線５ａを介して蓋板７を、第４側板６に谷折り線６ａを介して蓋板８をそれぞれ連設している。
【０００９】
第１側板３は、隣接する第３側板５側に谷折り線３ａを介して扇形の第１フラップ９を、隣接する第４側板６側に谷折り線３ｂを介して扇形の第２フラップ１０を、残りの辺に谷折り線３ｃを介して折り曲げ片１１をそれぞれ連設している。また、第２側板４は、隣接する第３側板５側に谷折り線４ａを介して扇形の第３フラップ１２を、隣接する第４側板６側に谷折り線４ｂを介して扇形の第４フラップ１３を、残りの辺に谷折り線４ｃを介して折り曲げ片１４をそれぞれ連設している。第１及び第３フラップ９，１２は、展開状態で第３側板５との空間を埋める大きさに形成され、また、第２及び第４フラップ１０，１３も、同様に、展開状態で第４側板６との空間を埋める大きさに形成されている。
【００１０】
第３側板５と第１フラップ９とは、それぞれの対向辺５ｂ、９ａに、互いに係合するための係合部として切り欠き１５，１６を対応する位置に形成し、また、第３側板５と第３フラップ１２も、それぞれの対向辺５ｃ，１２ａに互いに係合するための切り欠き１７，１８を対応する位置に形成している。同様に、第４側板６と第２フラップ１０も、それぞれの対向辺６ｂ，１０ａに互いに係合するための切り欠き１９，２０を、第４側板６と第４フラップ１３も同様に、それぞれの対向辺６ｃ，１３ａに互いに係合するための切り欠き２１，２２をそれぞれ対応する位置に形成している。蓋板７，８は、それぞれの先端に互いに係合するための係止溝７ａ，８ａを設けている。
【００１１】
この食品包装箱１は、各フラップ９，１０，１２，１３をそれぞれ箱内側へ折り曲げ、第１側板３及び第２側板４を箱内側へ折り曲げ、続いて、第３側板５及び第４側板６を箱内側へ折り曲げると、フラップ９，１２が第３側板５の内側に、フラップ１０，１３が第４側板６の内側にそれぞれ折り曲げられて、第１側板３、第２側板４、第３側板５及び第４側板６が底板２に対して９０度立ち上がる。この状態で各側板３，４，５，６で囲まれる空間内に例えばケーキＣを入れ、折り曲げ片１１，１４を箱内側へ折り曲げ、さらに蓋板７，８を箱内側へ折り曲げて、蓋板７，８の係止溝７ａ，８ａ同士を係合させると、食品包装箱１が直方体形の箱に組み立てられる。
【００１２】
次に、食品包装箱１を皿として使用する順序を説明する。蓋板７，８の係合を解いて蓋板７，８を開き、第１側板３、第２側板４、第３側板５、第４側板６及び各フラップ９，１０，１２，１３を広げて展開し、第３側板５の切り欠き１５にフラップ９の切り欠き１６を、第３側板５の切り欠き１７にフラップ１２の切り欠き１８を、第４側板６の切り欠き１９にフラップ１０の切り欠き２０を、第４側板６の切り欠き２１にフラップ１３の切り欠き２２をそれぞれ差し込んで係合させると、第３側板５とフラップ９，１２、第４側板６とフラップ１０、１３とがそれぞれ部分的に重なって、各側板３，４，５，６及び各フラップ９，１０，１２，１３は、ケーキＣを載置した底板２の周囲に斜め上方に立ち上り、底板２の周囲に上方へ広がるテーパー状の縁を形成して皿状に組み立てられる。
【００１３】
図５乃至図７は、平面視三角形の食品包装箱に第１発明を適用した第２実施形態例を示すもので、図５は展開図、図６は箱として組み立てられた状態の斜視図、図７は皿として組み立てられた状態の斜視図である。食品包装箱３０は、三角形の底板３１の各辺に、谷折り線３１ａを介して四角形の第１側板３２を、谷折り線３１ｂを介して四角形の第２側板３３を、谷折り線３１ｃを介して四角形の第３側板３４をそれぞれ連設し、第１側板３２の第２側板３３側に谷折り線３２ａを介して第１フラップ３５を連接し、第２側板３３の第３側板３４側に谷折り線３３ａを介して第２フラップ３６を、第３側板３４の第１側板３２側に谷折り線３４ａを介して第３フラップ３７をそれぞれ連設するとともに、第１側板３２に谷折り線３２ｂを介して三角形の蓋板３８を連設している。各フラップ３５，３６，３７は、展開状態で隣接する側板との間を埋める大きさに形成され、中央部分に谷折り線３５ｂ，３６ｂ，３７ｂをそれぞれ設けている。
【００１４】
また、第２側板３３に谷折り線３３ｂを介して折り曲げ片３９を、第３側板３４に谷折り線３４ｂを介して折り曲げ片４０をそれぞれ連設している。さらに、蓋板３８の第２側板３３に対応する辺３８ａに係止片４１を、第３側板３４に対応する辺３８ｂに係止片４２をそれぞれ折り曲げ可能に設け、第２側板３３の折り線３３ｂの中央に係止片４１の挿入溝４３を、第３側板３４の折り線３４ｂの中央に係止片４３の挿入溝４４をそれぞれ形成している。
【００１５】
第１フラップ３５と第２側板３３とは、それぞれの対向辺３５ａ，３３ｃに互いに係合するための切り欠き４５，４６を、同様に、第２フラップ３６と第３側板３４も、それぞれの対向辺３６ａ，３４ｃに切り欠き４７，４８を、第３フラップ３７と第１側板３２も、それぞれの対向辺３７ａ，３２ｃに切り欠き４９，５０をそれぞれ対応する位置に形成している。
【００１６】
この食品包装箱３０は、各フラップ３５，３６，３７を谷折り線３５ｂ，３６ｂ，３７ｂにてそれぞれ二つに折り曲げた後、各フラップ３５，３６，３７をそれぞれ箱内側へ折り曲げ、続いて、各側板３２，３３，３４を箱内側へ折り曲げて、第１フラップ３５を第２側板３３の内側に、第２フラップ３６を第３側板３４の内側に、第３フラップ３７を第１側板３２の内側にそれぞれ寄せ、この状態で、各側板３２，３３，３４で囲まれる空間内に食品を入れ、折り曲げ片３９、４０を箱内側へ折り曲げ、蓋板３８を被せて、係止片４１を挿入溝４３に、係止片４２を挿入溝４４にそれぞれ挿入することにより、食品包装箱３０が組み立てられる。
【００１７】
皿として使用する場合は、前記第１実施形態例と同様に、蓋板３８を開けて各側板３２，３３，３４及び各フラップ３５，３６，３７を展開し、各フラップ３５，３６，３７をそれぞれ広げて、第１フラップ３５の切り欠き４５を第２側板３３の切り欠き４６に、第２フラップ３６の切り欠き４７を第３側板３４の切り欠き４８に、第３フラップ３７の切り欠き４９を第１側板３２の切り欠き５０にそれぞれ係合させることにより、各側板３３，３３，３４及び各フラップ３５，３６，３７が底板３１の周囲に斜め上方にに立ち上り、底板３１の周囲に上方へ広がるテーパー状の縁を形成して皿状に組み立てられる。
【００１８】
図８乃至図１０は、平面視五角形の食品包装箱に第１発明を適用した第３実施形態例を示すもので、図８は展開図、図９は箱として組み立てられた状態の斜視図、図１０は皿として組み立てられた状態の斜視図である。食品包装箱６０は、五角形の底板６１の各辺に、谷折り線６１ａを介して四角形の第１側板６２を、谷折り線６１ｂを介して四角形の第２側板６３を、谷折り線６１ｃを介して四角形の第３側板６４を、谷折り線６１ｄを介して四角形の第４側板６５を、谷折り線６１ｅを介して四角形の第５側板６６をそれぞれ連設している。
【００１９】
また、第１側板６２の第２側板６３側に谷折り線６２ａを介して第１フラップ６７を、第２側板６３の第３側板６４側に谷折り線６３ａを介して第２フラップ６８を、第３側板６４の第４側板６５側に谷折り線６４ａを介して第３フラップ６９を、第４側板６５の第５側板６６側に谷折り線６５ａを介して第４フラップ７０を、第５側板６６の第１側板６２側に谷折り線６６ａを介して第５フラップ７１をそれぞれ連設するとともに、第１側板６２に谷折り線６２ｂを介して五角形の蓋板７２を連設している。各フラップ６７，６８，６９，７０，７１は、展開状態で隣接する側板との間を埋める大きさに形成されている。
【００２０】
さらに、第２側板６３に谷折り線６３ｂを介して折り曲げ片７３を、第３側板６４に谷折り線６４ｂを介して折り曲げ片７４を、第４側板６５に谷折り線６５ｂを介して折り曲げ片７５を、第５側板６６に谷折り線６６ｂを介して折り曲げ片７６をそれぞれ連設している。また、蓋板７２の第２側板６３対応辺７２ａに係止片７７を、第３側板６４対応辺７２ｂに係止片７８を、第４側板６５対応辺７２ｃに係止片７９を、第５側板６６対応辺７２ｄに係止片８０をそれぞれ折り曲げ可能に設け、第２側板６３の折り線６３ｂ中央に係止片７３の挿入溝８１を、第３側板６４の折り線６４ｂ中央に係止片７４の挿入溝８２を、第４側板６５の折り線６５ｂ中央に係止片７５の挿入溝８３を、第５側板６６の折り線６６ｂ中央に係止片７６の挿入溝８４をそれぞれ形成している。
【００２１】
第１フラップ６７と第２側板６３とは、それぞれの対向辺６７ａ，６３ｃに互いに係合するための切り欠き８５，８６を、同様に、第２フラップ６８と第３側板６４も、それぞれの対向辺６８ａ，６４ｃに切り欠き８７，８８を、第３フラップ６９と第４側板６５も、それぞれの対向辺６９ａ，６５ｃに切り欠き８９，９０を、第４フラップ７０と第５側板６６も、それぞれの対向辺７０ａ，６６ｃに切り欠き９１，９２を、第５フラップ７１と第１側板６２も、それぞれの対向辺７１ａ，６２ｃに切り欠き９３，９４をそれぞれ対応する位置に形成している。
【００２２】
この食品包装箱６０は、各フラップ６７，６８，６９，７０，７１をそれぞれ箱内側へ折り曲げ、続いて、各側板６２，６３，６４，６５，６６を箱内側へ折り曲げて底板６１の周囲に９０度立ち上げ、各側板６２，６３，６４，６５，６６で囲まれる空間内に食品を入れ、折り曲げ片７３，７４，７５，７６をを箱内側へ折り曲げ、蓋板７２を被せて、係止片７７を挿入溝８１に、係止片７８を挿入溝８２に、係止片７９を挿入溝８３に、係止片８０を挿入溝８４にそれぞれ挿入することにより、食品包装箱６０が組み立てられる。
【００２３】
皿として使用する場合は、前記第１，２実施形態例と同様に、蓋板７２を開けて各側板６２，６３，６４，６５，６６及び各フラップ６７，６８，６９，７０，７１を展開し、第１フラップ６７の切り欠き８５を第２側板６３の切り欠き８６に、第２フラップ６８の切り欠き８７を第３側板６４の切り欠き８８に、第３フラップ６９の切り欠き８９を第４側板６５の切り欠き９０に、第４フラップ７０の切り欠き９１を第５側板６６の切り欠き９２に、第５フラップ７１の切り欠き９３を第１側板６２の切り欠き９４にそれぞれ係合させることにより、各側板６２，６３，６４，６５，６６及び各フラップ６７，６８，６９，７０，７１が底板６１の周囲に斜め上方に立ち上がり、底板６１の周囲に上方へ広がるテーパー状の縁を形成して皿状に組み立てられる。
【００２４】
なお、上記各実施形態例では、フラップと側板の係合部として、両者に切り欠きを設けたもので説明したが、例えば、側板に設けた差し込み孔にフラップの先端を挿入するものや、側板の対向辺に二段の切り欠きを設け、該二段の切り欠きにフラップの対向辺中間部を差し込んでもよい。
【００２５】
図１１乃至図１４は、蓋を開けると皿として使用可能な食品包装箱に第２発明を適用した第４実施形態例を示すもので、図１１は展開図、図１２は箱に組み立てる途中の平面図、図１３は箱として組み立てられた状態の斜視図、図１０は皿として使用される状態の斜視図である。食品包装箱１００は、長方形の底板１０１の対向する長片の一方の辺に谷折り線１０１ａを介して四角形の第１側板１０２を、他方の辺に谷折り線１０１ｂを介して四角形の第２側板１０３をそれぞれ連設するとともに、対向する短辺の一方の辺に谷折り線１０１ｃを介して四角形の第３側板１０４を、他方の辺に谷折り線１０１ｄを介して四角形の第４側板１０５をそれぞれ連設し、さらに、第３側板１０４に谷折り線１０４ａを介して蓋板１０６を、第４側板１０５に谷折り線１０５ａを介して蓋板１０７をそれぞれ連設している。蓋板１０６，１０７は、それぞれの先端に互いに係合するための係止溝１０６ａ，１０７ａを設けている。
【００２６】
第１側板１０２は、隣接する第３側板１０４側に谷折り線１０２ａを介して扇形のフラップ１０８を、隣接する第４側板１０５側に谷折り線１０２ｂを介して扇形のフラップ１０９を、残りの辺に谷折り線１０２ｃを介して折り曲げ片１１０をそれぞれ連設している。また、第２側板１０３は、隣接する第３側板１０４側に谷折り線１０３ａを介して扇形のフラップ１１１を、隣接する第４側板１０５側に谷折り線１０３ｂを介して扇形のフラップ１１２を、残りの辺に谷折り線１０３ｃを介して折り曲げ片１１３をそれぞれ連設している。
【００２７】
フラップ１０８は、先端側となる第３側板１０４との対向辺１０８ａを第３側板１０４の辺１０４ｂよりも内側に重ねて貼着され、同様に、フラップ１１１も、先端側となる第３側板１０４との対向辺１１１ａを第３側板１０４の辺１０４ｃよりも内側に重ねて貼着されている。また、フラップ１０９も、先端側となる第４側板１０５との対向辺１０９ａを第４側板１０５の辺１０５ｂよりも内側に重ねて貼着され、同様に、フラップ１１２も、先端側となる第４側板１０５との対向辺１１２ａを第４側板１０５の辺１０５ｃよりも内側に重ねて貼着されている。これにより、各側板１０２，１０３，１０４，１０５及び各フラップ１０８，１０９，１１１，１１２は、底板１０１の周囲に斜め上方に立ち上がった状態となる。
【００２８】
そして、フラップ１０８には、第３側板１０４の辺１０４ｂに沿って谷折り線１０８ｂが設けられるとともに、該谷折り線１０８ｂと第１側板１０２との谷折り線１０２ａとの間に山折り線１０８ｃが設けられている。同様に、フラップ１１１にも、第３側板１０４の辺１０４ｃに沿って谷折り線１１１ｂが設けられるとともに、該谷折り線１１１ｂと第２側板１０３との谷折り線１０３ａとの間に山折り線１１１ｃが設けられ、フラップ１０９も、第４側板１０５の辺１０５ｂに沿って谷折り線１０９ｂが設けられるとともに、該谷折り線１０９ｂと第１側板１０２との谷折り線１０２ｂとの間に山折り線１０９ｃが設けられ、フラップ１１２も、第４側板１０５の辺１０５ｃに沿って谷折り線１１２ｂが設けられるとともに、該谷折り線１１２ｂと第２側板１０３との谷折り線１０３ｂとの間に山折り線１１２ｃが設けられている。
【００２９】
この食品包装箱１００は、フラップ１０８を折り線１０８ｃにて山折りしながら、谷折り線１０２ａ及び谷折り線１０８ｂにて箱内側へ谷折りするとともに、残りの各フラップ１０９，１１１，１１２を山折り線１０９ｃ，１１１ｃ，１１２ｃにて山折りしながら、谷折り線１０２ｂ及び谷折り線１０９ｂ、谷折り線１０３ａ及び谷折り線１１１ｂ、谷折り線１０３ｂ及び谷折り線１１２ｂにて箱内側へ谷折りして、折り畳まれた各フラップ１０８，１０９，１１１，１１２を第３側板１０４及び第４側板１０５の内側に寄せていくと、第１側板１０２、第２側板１０３、第３側板１０４及び第４側板１０５が底板１０１の周囲に直角に立ち上がる。この状態で、各側板１０２，１０３，１０４，１０５で囲まれる空間内にケーキＣを入れ、折り曲げ片１１０，１１３を箱内側へ折り曲げ、さらに蓋板１０６，１０７を箱内側へ折り曲げて、蓋板１０６，１０７の係止溝１０６ａ，１０７ａ同士を係合させると、食品包装箱１００が直方体形の箱に組み立てられる。
【００３０】
皿として使用する場合は、蓋板１０６，１０７の係合を解いて蓋板１０６，１０７を広げると、各側板１０２，１０３，１０４，１０５及び各フラップ１０８，１０９，１１１，１１２は、底板１０１の周囲に上方へ広がるテーパー状の縁を形成して皿状になる。
【００３１】
なお、第４実施形態例では、平面視四角形の底板を有する食品包装箱で第２発明を説明したが、前記第２，３実施形態例のような平面視三角形、五角形の底板を有する食品包装箱にも第２発明は適用可能である。また、上記各実施形態例では、側板に蓋板を連接したもので説明したが、底板、側板及びフラップからなる箱に別体の蓋を用いてもよい。
【００３２】
【発明の効果】
以上説明したように、本発明の食品包装箱は、展開が容易で、展開すると、底面に空隙がなくて内容物がこぼれない皿状にすることができる。したがって、別の皿を用意する必要がない。また、持ち運びやすく、収納された食品に手を触れずに皿にすることができるから衛生的である。さらに、底板、側板及びフラップの内側に絵を描くことにより、絵皿としての演出ができる。
【図面の簡単な説明】
【図１】第１実施形態例の箱の展開図
【図２】同じく箱に組み立てる途中の斜視図
【図３】同じく箱として組み立てられた状態の斜視図
【図４】同じく皿として組み立てられた状態の斜視図
【図５】第２実施形態例の箱の展開図
【図６】同じく箱として組み立てられた状態の斜視図
【図７】同じく皿として組み立てられた状態の斜視図
【図８】第３実施形態例の箱の展開図
【図９】同じく箱として組み立てられた状態の斜視図
【図１０】同じく皿として組み立てられた状態の斜視図
【図１１】第４実施形態例の箱の展開図
【図１２】同じく箱に組み立てる途中の斜視図
【図１３】同じく箱として組み立てられた状態の斜視図
【図１４】同じく皿として組み立てられた状態の斜視図
【符号の説明】
１…食品包装箱、２…底板、２ａ，２ｂ，２，ｃ，２ｄ…底板２の谷折り線、３…第１側板、３ａ…第１側板３の谷折り線、４…第２側板、４ａ…第２側板４の谷折り線、５…第３側板、５ａ…第３側板５の谷折り線、５ｂ…第３側板５の第１フラップ９との対向辺、５ｃ…第３側板５の第３フラップ９との対向辺、６…第４側板、６ａ…第４側板６の谷折り線、６ｂ…第４側板６の第２フラップ１０との対向辺、６ｃ…第４側板６の第４フラップ１３との対向辺、７，８…蓋板、９…第１フラップ、９ａ…第１フラップ９の第３側板５との対向辺、１０…第２フラップ、１０ａ…第２フラップ１０の第４側板６との対向辺、１２…第３フラップ、１２ａ…第３フラップの第３側板５との対向辺、１３…第４フラップ、１３ａ…第４フラップの第４側板６との対向辺、１５，１６，１７，１８，１９，２０，２１，２２…切り欠き
【図１】
2004168317.tif 000003
【図２】
2004168317.tif 000004
【図３】
2004168317.tif 000005
【図４】
2004168317.tif 000006
【図５】
2004168317.tif 000007
【図６】
2004168317.tif 000008
【図７】
2004168317.tif 000009
【図８】
2004168317.tif 000010
【図９】
2004168317.tif 000011
【図１０】
2004168317.tif 000012
【図１１】
2004168317.tif 000013
【図１２】
2004168317.tif 000014
【図１３】
2004168317.tif 000015
【図１４】
2004168317.tif 000016